(57)【要約】      （修正有）【課題】視覚において、シ−トベルト着用を促し、シートベルト着用率を高めることができるシートベルトカバーを提供する。【解決手段】シートベルトの腹部にかかる部分が、着用後は、露出面が反転することに着目し、シートベルト３の腹部にかかる部分にシートベルトカバー６を取り付け、着用前に露出しているＡ面側のシートベルトカバーの表面にシ−トベルト着用を促す文言やイラスト等を記載することにより、視覚からシートベルト着用を訴えるものである。反転後のＢ面側のシートベルトカバーの表面にはシ−トベルト着用を評価する文言やイラスト等の記載をしてもよい。【選択図】図１
0003216103.tif 000002
【実用新案登録請求の範囲】
【請求項１】
シートベルトの乗員腹部に接触する部分に取り付けるシートベルトカバーであり、当該シートベルトカバーは、中央部分と両脇部分の３つの帯状部に区画され、中央部分の上にシートベルトの乗員腹部に接触する部分を載せて、両脇部を折りたたんでシートベルトを包み込むように被覆し、両脇部の重なる部分にマジックテープ等の留め具を設けてシートベルトに取り付けることを特徴とするシートベルトカバー。
【請求項２】
シートベルトカバー中央部分の外側面（露出面）とシートベルトカバー両脇部分のうち外側にくる面（露出面）のどちらか片方の面にシ−トベルト着用を促す文言やイラスト等を記載し、もう片方の面にはシ−トベルト着用を評価する文言やイラスト等を記載又は無記載とすることを特徴とする請求項１記載のシートベルトカバー。
【考案の詳細な説明】
【技術分野】
【０００１】  本発明は、自動車の三点式シートベルト着用推進具である。
【背景技術】
【０００２】  自動車の三点式シートベルトの着用は、乗員の安全のために非常に重要なことである。そのため、自動車メーカーは、シートベルトの着用を促すために警告ブザーを発する等の対応策をとっている。【０００３】  本発明は、視覚において、シ−トベルト着用を促すものであり、自動車メーカーによる警告ブザー等の対応策と併せて実施することにより、より一層のシートベルト着用率を高めるものである。【０００４】  また、多数の人員が乗るバス等の場合は、警告ブザーの設置が実質不可能である。そのため、運転手あるいは添乗員が乗員にシ−トベルト着用を呼びかけている。本発明を併せることにより、乗員のシ−トベルト着用率を高めるものである。
【考案の概要】
【考案が解決しようとする課題】
【０００５】  一般的に、装着前の三点式シートベルトは、着座した乗員の片側サイドに、背もたれにそって取りつけてある。三点式シートベルトを着用する時は、シートベルトに通してあるタングプレートを着座した乗員のもう片方のサイドの腰部にあるバックルに結合して着用完了となる。三点式シートベルトの三点とは、乗員の片方の肩１点と両腰部の２点をベルトによりシートに固着するものである。シートベルトが乗員の体に接触する部分としては、片方の肩から斜めに腰にかけて乗員の上体（胸部）を支える部分と、両腰にかけて腹部を支える部分に分けられる。【０００６】  そこで、シートベルト着用前と着用後のシートベルトが人体に接触する面と、その裏面となるシートベルトの露出面に着目する。ここで、シートベルト装着前のシートベルト露出面をＡ面とし、その裏面をＢ面とする。シートベルト装着後のシートベルトの露出面は、乗員の肩から腰部にかかる部分はＡ面のままとなるが、腹部にかかる部分は反転しＢ面となる。【０００７】  シートベルトの腹部にかかる部分にシートベルトを被覆するカバーを作り、シートベルトに取り付ける。シートベルト着用前の露出面であるＡ面側を被覆するシートベルトカバーの表面に、シ−トベルト着用を促す文言やイラスト等を記載することにより、乗員の視覚に、シートベルト着用を訴えることができ、シートベルト着用後は、腹部にかかる部分は反転しＢ面となるため、Ａ面側に記載したシ−トベルト着用を促す文言やイラスト等は視覚から隠れることになる。
【課題を解決するための手段】
【０００８】  本発明は、シートベルトの腹部にかかる部分が、着用後は、露出面が反転することに着目し、シートベルトの腹部にかかる部分にシートベルトカバーを取り付け、着用前に露出しているＡ面側のシートベルトカバー表面にシ−トベルト着用を促す文言やイラスト等を記載することにより、視覚からシートベルト着用を訴えるものである。【０００９】  なお、反転後のＢ面側のシートベルトカバーの表面にはシ−トベルト着用を評価する文言やイラスト等の記載をしてもよい。【００１０】  本発明を販売する際のキャッチフレーズに「シートベルト着用採点カバー」として、着用前に露出しているＡ面に着用を促すために「×××（バツ印を表す）」等のイラストを、着用後に露出するＢ面に着用を評価する「○○○（丸印を表す）」等のイラストを記載し、購買者にアピールするのもよいアイデアではなかろうか。
【考案の効果】
【００１１】  シートベルトの着用を乗員の視覚に訴えることにより、シートベルト着用を促すことができる。【００１２】  また、乗員はシートベルトの着用及び取り外しにあたっては、シートベルトがねじれ、シートベルトを被覆するシートベルトカバー記載の文言やイラスト等が意図したものと異なる面にならないように意識的に取り扱うことが必要となり、ひいてはシートベルトの効果が減少するシートベルトのねじれた状態のままの着用をしなくなるという副次的な効果が期待できる。
【図面の簡単な説明】
【００１３】
【図１】  着用前の三点式シートベルトの状態図であり、シートベルトカバーにベルトの着用を促すイラスト例（バツ印）が載っている。
【図２】  着用後の三点式シートベルトの状態図であり、シートベルトの腹部にあたる箇所は反転し、シートベルトカバーにベルトの着用を評価するイラスト例（マル印）が載っている。
【図３】  本発明にかかるシートベルトカバーの中央部の上にシートベルトを載せて、シートベルトカバーの両脇部を折りまげて取り付けるところの図である。
【図４】  本発明にかかるシートベルトカバーをシートベルトに取り付けた状態の断面図である。
【考案を実施するための形態】
【００１４】  シートベルトの腹部にかかる箇所に取り付けるシートベルトカバーであり、当該シートベルトカバーは、中央部分と両脇部分の３つの帯状部に区画され、中央部分の上にシートベルトの腹部にかかる箇所を載せて、両脇部を折りたたみシートベルトを包み込むように被覆し、両脇部の重なる部分にマジックテープ等の留め具を設けることによりシートベルトに取り付ける。
【００１５】  留め具については、マジックテープ、ボタン、ファスナー、糸や紐等が考えられるので特定しない。
【００１６】  シートベルトカバーの形状について、本発明の趣旨を逸脱しない範囲で種々の変形実施が可能である。
【００１７】  取り付けたシートベルトカバーのうち、シートベルトのＡ面側を被覆するシートベルトカバーの表面にシ−トベルト着用を促す文言やイラスト等を記載することにより視覚からシートベルト着用促進を訴えるものである。又、シートベルトの反対側のＢ面側を被覆するシートベルトカバーの表面には、シ−トベルト着用を評価する文言やイラスト等の記載を入れてもよい。
【符号の説明】
【００１８】１    シート背もたれ
２    シート座面
３    シートベルト
４    タングプレート
５    バックル
６    シートベルト着用前のシートベルトカバーの状態
７    シートベルト着用後の反転したシートベルトカバーの状態
８    シートベルトを着用している乗員
９    シートベルト
１０  シートベルトカバー
１１  マジックテープ等の留め具
１２  シートベルトの断面
１３  シートベルトカバーの断面
１４  シートベルトカバーの露出面
【図１】
0003216103.tif 000003
【図２】
0003216103.tif 000004
【図３】
0003216103.tif 000005
【図４】
0003216103.tif 000006
【手続補正書】
【提出日】平成29年12月20日(2017.12.20)
【手続補正１】
【補正対象書類名】実用新案登録請求の範囲
【補正対象項目名】全文
【補正方法】変更
【補正の内容】
【実用新案登録請求の範囲】
【請求項１】
シートベルトの乗員腹部に接触する部分に取り付けるシートベルトカバーであり、当該シートベルトカバーは、中央部分と両脇部分の３つの帯状部に区画され、中央部分の上にシートベルトの乗員腹部に接触する部分を載せて、両脇部を折りたたんでシートベルトを包み込むように被覆し、両脇部の重なる部分に留め具（面ファスナー）を設けてシートベルトに取り付けることを特徴とするシートベルトカバー。
【請求項２】
シートベルトカバー中央部分の外側面（露出面）とシートベルトカバー両脇部分のうち外側にくる面（露出面）のどちらか片方の面にシートベルト着用を促す文言やイラストを記載し、もう片方の面にはシートベルト着用を評価する文言やイラストを記載又は無記載とすることを特徴とする請求項１記載のシートベルトカバー。
【手続補正書】
【提出日】平成30年2月27日(2018.2.27)
【手続補正１】
【補正対象書類名】実用新案登録請求の範囲
【補正対象項目名】全文
【補正方法】変更
【補正の内容】
【実用新案登録請求の範囲】
【請求項１】
シートベルトの乗員腹部に接触する部分に取り付けるシートベルトカバーであり、当該シートベルトカバーは、中央部分と両脇部分の３つの帯状部に区画され、中央部分の上にシートベルトの乗員腹部に接触する部分を載せて、両脇部を折りたたんでシートベルトを包み込むように被覆し、両脇部の重なる部分に留め具を設けてシートベルトに取り付けることを特徴とするシートベルトカバー。
【請求項２】
シートベルトカバー中央部分の外側面（露出面）とシートベルトカバー両脇部分のうち外側にくる面（露出面）のどちらか片方の面にシートベルト着用を促す文言やイラストを記載し、もう片方の面にはシートベルト着用を評価する文言やイラストを記載又は無記載とすることを特徴とする請求項１記載のシートベルトカバー。